(57)【要約】【課題】遊技領域の最端部に遊技球の球通過可能領域を確保するとともに、該球通過可能領域を通過した遊技球の少なくとも一部が、遊技領域の中央方向に流下することにより、例えば、入賞装置等の遊技に関わる遊技装置を遊技領域の略中央付近に配設した場合において、遊技の趣向性を損うことがない弾球遊技機を提供する。【解決手段】第一球誘導通路６１と、第二球誘導通路６２と、第三球誘導通路６３と、分岐空間部６４とからなる特別球通路空間７０と、前記第二球誘導通路６２と前記第三球誘導通路６３とを連通させる前記分岐空間部６４に設けられる球誘導部材７５と、前記球誘導部材７５の上方に設けて前記第一球誘導通路を流下してきた遊技球Ｐ３を前記球誘導部材７５に誘導する球進路変更部材８０とを有し、前記第一球誘導通路６１および前記第二球誘導通路６２の少なくとも一部が、前記遊技領域の球通過可能領域の最端部８５に設けられている。【選択図】図４
2005073737.tif 000002
【特許請求の範囲】
【請求項１】
遊技球が打ち出される遊技盤と、
前記遊技盤に配置された領域区画部材と、
前記領域区画部材により区画して遊技球の球通過可能領域が形成された遊技領域とを備えた弾球遊技機において、
遊技球を流下させる第一球誘導通路と、前記第一球誘導通路を流下してきた遊技球をさらに流下させる第二球誘導通路と、前記第一球誘導通路を流下してきた遊技球を前記第二球誘導通路の流下方向とは異なる前記遊技領域の中央方向に流下させる第三球誘導通路と、前記各球誘導通路同士を連通させる分岐空間部とにより構成された特別球通路空間と、
前記第二球誘導通路と前記第三球誘導通路とを連通させる前記分岐空間部に設けられて前記第一球誘導通路を流下してきた遊技球を前記第二球誘導通路あるいは前記第三球誘導通路に誘導する球誘導部材と、
前記特別球通路空間を構成する分岐空間部に設けられた球誘導部材の上方に設けて前記第一球誘導通路を流下してきた遊技球を進路変更させて前記球誘導部材に誘導する球進路変更部材とを有し、
前記第一球誘導通路および前記第二球誘導通路の少なくとも一部が、前記遊技領域の球通過可能領域の最端部に設けられていることを特徴とする弾球遊技機。
【請求項２】
前記最端部が略円弧状に形成され、前記第一球誘導通路および前記第二球誘導通路が、前記最端部に設けられるとともに該最端部に沿って同一円弧状に配設されていることを特徴とする請求項１に記載の弾球遊技機。
【請求項３】
前記各球誘導通路が、前記遊技盤に設けられた区画部により区画して形成されていることを特徴とする請求項１または２に記載の弾球遊技機。
【請求項４】
前記球進路変更部材が前記最端部から前記特別球通路空間に向けて突設されていることを特徴とする請求項１ないし３のいずれか１項に記載の弾球遊技機。
【請求項５】
前記第一球誘導通路および前記第二球誘導通路の少なくとも一部が遊技球が２球並列して通過することができない通路幅を有するとともに、前記分岐空間部が遊技球が２球並列して通過することができる通路幅を有することを特徴とする請求項１ないし４のいずれか１項に記載の弾球遊技機。
【請求項６】
前記遊技領域が、該遊技領域の略中心線上に配置される特定入賞口と該特定入賞口に遊技球が入球したことに起因して図柄を表示する図柄表示装置とを有し、前記第二球誘導通路を流下してきた遊技球の流下方向が前記特定入賞口に入球しないように規制されているとともに、前記第三球誘導通路を流下してきた遊技球の流下方向が前記特定入賞口に向かうように規制されていることを特徴とする請求項１ないし５のいずれか１項に記載の弾球遊技機。
【発明の詳細な説明】
【技術分野】
【０００１】
この発明は、パチンコ遊技機等の弾球遊技機に関する。
【背景技術】
【０００２】
従来のパチンコ遊技機等の弾球遊技機は、遊技球が打ち出される遊技盤に領域区画部材により区画して形成された遊技領域を備えている。この遊技領域には、装飾部材が設けられているとともに前記遊技球が流下する球通過可能領域が備えられている。（例えば、特許文献１参照。）
【０００３】
また、近年の弾球遊技機は、遊技の趣向性を高めるために遊技領域に設けられて図柄を表示等する図柄表示装置や装飾部材等の遊技装置の大型化が進んでいる。この弾球遊技機は、遊技領域を有効に活用するために前記大型化した遊技装置と該遊技領域の端部との間にも遊技球の球通過可能領域を備えている。
【０００４】
しかしながら、遊技領域を有効に活用するために前記大型化した遊技装置と該遊技領域の端部との間に遊技球の球通過可能領域を確保した場合であっても、該球通過可能領域を通過した遊技球が、前記遊技領域の中央方向に流下しないおそれがある。この場合には、遊技が遊技者に不利なものとなるおそれがある。一方、前記球通過可能領域を通過した遊技球の多くが前記遊技領域の中央方向に流下するようにすると、遊技が、遊技者に有利なものとなるが遊技店に不利なものとなるおそれがあった。
【特許文献１】特開２００２−８３１（第１−５頁、第１−６図）
【発明の開示】
【発明が解決しようとする課題】
【０００５】
この発明は、このような状況に鑑み提案されたもので、遊技領域の最端部に遊技球の球通過可能領域を確保するとともに、該球通過可能領域を通過した遊技球の少なくとも一部が、遊技領域の中央方向に流下することにより、例えば、入賞装置等の遊技に関わる遊技装置を遊技領域の略中央付近に配設した場合において、遊技の趣向性を損うことがない弾球遊技機を提供する。
【課題を解決するための手段】
【０００６】
すなわち、請求項１の発明は、遊技球が打ち出される遊技盤と、前記遊技盤に配置された領域区画部材と、前記領域区画部材により区画して遊技球の球通過可能領域が形成された遊技領域とを備えた弾球遊技機において、遊技球を流下させる第一球誘導通路と、前記第一球誘導通路を流下してきた遊技球をさらに流下させる第二球誘導通路と、前記第一球誘導通路を流下してきた遊技球を前記第二球誘導通路の流下方向とは異なる前記遊技領域の中央方向に流下させる第三球誘導通路と、前記各球誘導通路同士を連通させる分岐空間部とにより構成された特別球通路空間と、前記第二球誘導通路と前記第三球誘導通路とを連通させる前記分岐空間部に設けられて前記第一球誘導通路を流下してきた遊技球を前記第二球誘導通路あるいは前記第三球誘導通路に誘導する球誘導部材と、前記特別球通路空間を構成する分岐空間部に設けられた球誘導部材の上方に設けて前記第一球誘導通路を流下してきた遊技球を進路変更させて前記球誘導部材に誘導する球進路変更部材とを有し、前記第一球誘導通路および前記第二球誘導通路の少なくとも一部が、前記遊技領域の球通過可能領域の最端部に設けられていることを特徴とする弾球遊技機に係る。
【０００７】
請求項２の発明は、請求項１において、前記最端部が略円弧状に形成され、前記第一球誘導通路および前記第二球誘導通路が、前記最端部に設けられるとともに該最端部に沿って同一円弧状に配設されていることを特徴とする弾球遊技機に係る。
【０００８】
請求項３の発明は、請求項１または２において、前記各球誘導通路が、前記遊技盤に設けられた区画部により区画して形成されていることを特徴とする弾球遊技機に係る。
【０００９】
請求項４の発明は、請求項１ないし３のいずれか１項において、前記球進路変更部材が前記最端部から前記特別球通路空間に向けて突設されていることを特徴とする弾球遊技機に係る。
【００１０】
請求項５の発明は、請求項１ないし４のいずれか１項において、前記第一球誘導通路および前記第二球誘導通路の少なくとも一部が遊技球が２球並列して通過することができない通路幅を有するとともに、前記分岐空間部が遊技球が２球並列して通過することができる通路幅を有することを特徴とする弾球遊技機に係る。
【００１１】
請求項６の発明は、請求項１ないし５のいずれか１項において、前記遊技領域が、該遊技領域の略中心線上に配置される特定入賞口と該特定入賞口に遊技球が入球したことに起因して図柄を表示する図柄表示装置とを有し、前記第二球誘導通路を流下してきた遊技球の流下方向が前記特定入賞口に入球しないように規制されているとともに、前記第三球誘導通路を流下してきた遊技球の流下方向が前記特定入賞口に向かうように規制されていることを特徴とする弾球遊技機に係る。
【発明の効果】
【００１２】
請求項１の発明に係る弾球遊技機によれば、遊技領域の最端部に遊技球の球通過可能領域を確保するとともに、該球通過可能領域を通過した遊技球の少なくとも一部が、遊技領域の中央方向に流下することにより、例えば、入賞装置等の遊技に関わる遊技装置を遊技領域の略中央付近に配設した場合において、遊技の趣向性を損なわないものとすることができる。
【００１３】
請求項２の発明は、前記最端部が略円弧状に形成され、前記第一球誘導通路および前記第二球誘導通路が、前記最端部に設けられるとともに該最端部に沿って同一円弧状に配設されるものである。これによれば、前記最端部を、遊技球の球誘導通路として有効に利用することができる。
【００１４】
請求項３の発明は、前記各球誘導通路が、前記遊技盤に設けられた区画部により区画して形成されるものである。これによれば、前記各球誘導通路を前記区画部によって形成することができる。
【００１５】
請求項４の発明は、前記球進路変更部材が前記最端部から前記特別球通路空間に向けて突設されたものである。これによれば、前記特別球通路空間を構成する第一球誘導通路を流下してきたほとんどの遊技球が、前記第二球誘導通路を流下することを防ぐことができる。
【００１６】
請求項５の発明は、前記第一球誘導通路および前記第二球誘導通路の少なくとも一部が遊技球が２球並列して通過することができない通路幅を有するとともに、前記分岐空間部が遊技球が２球並列して通過することができる通路幅を有するものである。これによれば、大型化した遊技装置を前記遊技領域に配設することができるとともに、前記第一球誘導通路を流下してきた遊技球を、前記第二球誘導通路あるいは第三球誘導通路へ誘導することができる。
【００１７】
請求項６の発明は、前記遊技領域が、該遊技領域の略中心線上に配置される特定入賞口と該特定入賞口に遊技球が入球したことに起因して図柄を表示する図柄表示装置とを有し、前記第二球誘導通路を流下してきた遊技球の流下方向が前記特定入賞口に入球しないように規制されているとともに、前記第三球誘導通路を流下してきた遊技球の流下方向が前記特定入賞口に向かうように規制されているものである。これによれば、大型化した遊技装置（図柄表示装置）を前記遊技領域に配設した場合であっても、遊技球が、前記特定入賞口に入球しないように規制する第二球誘導通路あるいは前記特定入賞口に向かうように規制する第三球誘導通路のいずれかを流下するため、遊技が、遊技者に有利な大当たり状態等に移行するか否かの期待を抱かせて趣向性を損なわないものとすることができるとともに、遊技が、遊技者に著しく不利あるいは著しく有利なものとなる可能性を軽減することができる。また、遊技が、前記大当たり状態等に移行することを抑えて遊技店に不利なものとなることを抑制することができる。
【発明を実施するための最良の形態】
【００１８】
以下添付の図面に基づきこの発明の好適な実施形態を説明する。図１はこの発明の一実施例に係る弾球遊技機全体の正面図、図２は同遊技機の遊技盤の正面図、図３は同遊技機全体の裏面図、図４は図２の分岐空間部の部分拡大図、図５は遊技盤に配設される表示装置の正面図である。
【００１９】
図１および図２に示す弾球遊技機１は、枠体２の内側に遊技球が打ち出される遊技盤３が着脱交換可能に収容されており、その遊技盤３に遊技球の外側誘導レール４および内側誘導レール５が略円形に立設され、前記外側誘導レール４あるいは内側誘導レール５によって区画して遊技球の球通過可能領域８が形成された遊技領域６が設けられている。なお、前記外側誘導レール４および内側誘導レール５は領域区画部材に相当する。前記枠体２には、遊技球払出口（図示せず）より払い出された遊技球を受ける遊技球供給皿（上側球受け皿とも称される）３６、前記遊技球供給皿３６の飽和時に遊技球を受けるための下側球受け皿３７、遊技状態を報知するランプ表示器３４，３５、音声や効果音を発して遊技状態を遊技者に報知するスピーカＳ、遊技者による発射レバー９２の操作に応じて遊技球を遊技盤３の遊技領域６に向けて発射する発射装置９１等がそれぞれ組み付けられている。また、前記遊技球供給皿３６の右側上面には、この遊技球供給皿３６の遊技球を球抜きして前記下側球受け皿３７へ移すための球返却ボタン３３が設けられている。
【００２０】
図２に示すように、この実施例の遊技盤３における遊技領域６には、その略中心線上に上部から下部に向かって順に液晶表示器（ＴＦＴ−ＬＣＤモジュール）等からなる画像表示部５０を有する図柄表示装置５５と該画像表示部５０を取り囲む装飾枠体５６とを含む表示装置９、普通電動役物である始動入賞口１１、特別電動役物である大入賞口１５、アウト口１７が配設され、また前記表示装置９の左側には風車２２ａ、その下方に普通図柄変動開始用左ゲート１９および普通図柄変動開始用右ゲート２１が配設されており、その下方に左袖入賞口２３と右袖入賞口２５、さらには前記大入賞口１５の両側に左落とし入賞口２７と右落とし入賞口２９が配設されている。前記種々の入賞口に遊技球が入賞すると所定数の遊技球が賞品球として払い出される。また、この実施例の遊技領域６には流下する遊技球を誘導する遊技釘７が適宜設けられている。
【００２１】
前記表示装置９は、図５に示すように、サイドランプＲと後述する球誘導部材７５を一体に設けたものである。前記球誘導部材７５は、装飾枠体５６の板状部材Ｂに一体成形されている。この表示装置９は、図示のように、左右非対称の形状である。図１および図２からも理解できるように、前記左右非対称形状の表示装置９が配設された遊技領域６は、前記略中心線より右側の球通過可能領域８の面積が該略中心線より左側の球通過可能領域８の面積よりも小さくなっている。この表示装置９の少なくとも一部は、前記球誘導部材７５によって遊技盤３に固着される。これによって、前記表示装置９が遊技盤３に固定される。加えて、前記遊技盤３に固定された球誘導部材７５が、後述する第一球誘導通路６１を流下してきた遊技球Ｐ３によって該遊技盤３から外れることを防ぐ。なお、この表示装置９は、前記サイドランプＲと球誘導部材７５を、一体に設けたものに限らず独立して設けたものでもよい。
【００２２】
前記始動入賞口１１には、該始動入賞口１１に入賞した遊技球を検出する特別図柄変動開始スイッチ（始動入賞口センサ）が設けられている。そして、前記特別図柄変動開始スイッチによって入賞球が検出されると、前記表示装置９における画像表示部５０の各表示領域で特別図柄が変動を開始し、所定時間変動表示後、予め定められた順で特別図柄が変動停止して、停止図柄の組合せが確定表示されるようになっている。そして、前記確定表示された停止図柄の組合せが予め決められた特定の大当たり図柄組合せ、例えば、同一図柄の組合せからなる通称ぞろ目であると、大当たり状態（特別遊技状態）に移行する。大当たり状態になると、前記大入賞口１５の開閉板が開いて遊技領域６を流下してくる遊技球を受け止め、大入賞口１５内へ入賞可能にする。
【００２３】
前記特別図柄変動開始スイッチの他に、前記普通図柄変動開始用左ゲート１９および普通図柄変動開始用右ゲート２１を通過する遊技球を検出する普通図柄変動開始スイッチ等がある。この普通図柄変動開始スイッチで両ゲート１９，２１を通過する遊技球を検出することによって、前記画像表示部５０の下方左隅に設けた普通図柄表示部５０Ａでの図柄変動を開始させるようになっている。そして、前記普通図柄表示部５０Ａにおいて図柄変動した後に確定表示された図柄が予め設定されている特定の図柄であった場合には、小当たり（普通図柄当たり）となり、前記始動入賞口１１の可動片１１ａ，１１ｂの拡開開放を所定時間行うようになっている。
【００２４】
前記発射装置９１は、操作ハンドル９２と、該操作ハンドル９２の操作により駆動する発射モータと、該発射モータの駆動により間欠的に揺動して遊技球を弾発発射する打球杆とを有している。前記発射装置９１により発射された遊技球は、前記遊技盤３に立設された外側誘導レール４と内側誘導レール５間で構成される発射球誘導路１０を介して遊技領域６に誘導されるようになっている。前記発射球誘導路１０により遊技領域６の略中心線より左側の球通過可能領域８に誘導された遊技球は、転動しつつ流下し、前記各入賞口に入賞するか、あるいは何処にも入賞しなければ前記アウト口１７から遊技盤３の裏側へ排出されるように構成される。なお、遊技領域６の略中心線より右側の球通過可能領域８に誘導された遊技球の動きは後述する。
【００２５】
さらに、この弾球遊技機１にはカードユニット１５１が設けられており、貸球情報が記録されたプリペードカードをカードユニット１５１のカード挿入口Ｕに挿入すると、該プリペードカードに記録されている貸出可能度数が球貸し操作部４５の度数表示部に表示され、遊技者が該球貸し操作部４５の球貸ボタンを操作することにより所定数の貸球が前記遊技球供給皿３６に払い出され、遊技者が遊技を中止したいときには、前記球貸し操作部４５のカード返却ボタンを操作することによりプリペードカードがカード挿入口Ｕから排出されるようになっている。
【００２６】
この弾球遊技機１の裏側には、図３に示す裏機構を備えている。図中の符号１０１は遊技球を貯留する貯留タンク、１０２はタンクレール、１０４は枠用外部出力端子基板、１０５はランプ中継基板、１０６は受電基板、１０７は賞球センサ中継基板、１１０は盤面用外部出力端子基板、１１１は中継基板、１１２は音声制御基板、１１３はＦＧ中継基板、１１４は電源基板、１１５はランプ制御基板、１１８は払出制御基板、１１９は発射装置制御基板、１２１は主制御基板、１２２はカードインターフェイス接続部、１２３，１２４は電源プラグ、１６１は図柄制御基板、Ｇは接地線である。
【００２７】
以下に、本発明の実施例の構成を、前記遊技領域６の略中心線より右側の球通過可能領域８に誘導された遊技球の動きとともに説明する。この実施例の弾球遊技機１は、図２および図４に示すように、特別球通路空間７０と、球誘導部材７５と、球進路変更部材８０とを有している。
【００２８】
特別球通路空間７０は、第一球誘導通路６１と、第二球誘導通路６２と、第三球誘導通路６３と、分岐空間部６４とによって構成される。
【００２９】
第一球誘導通路６１は、遊技球を前記遊技領域６の略中心線より右側の球通過可能領域８から受け入れて流下させるものである。第二球誘導通路６２は、図示したように、前記第一球誘導通路６１を流下してきた遊技球Ｐをさらに流下させるものである。第三球誘導通路６３は、図示したように、前記第一球誘導通路６１を流下してきた遊技球Ｐ１を前記第二球誘導通路６２の流下方向とは異なる前記遊技領域６の中央方向に流下させるものである。分岐空間部６４は、前記各球誘導通路６１，６２，６３同士を連通させるものである。
【００３０】
球誘導部材７５は、前記第二球誘導通路６２と第三球誘導通路６３とを連通させる前記分岐空間部６４に設けられて前記第一球誘導通路６１を流下してきた遊技球Ｐ３を前記第二球誘導通路６２あるいは第三球誘導通路６３へ誘導するものである。
【００３１】
この球誘導部材７５は球誘導用傾斜部７６を備えている。実施例の球誘導用傾斜部７６は、図示したように、球誘導部材７５の上面が前記第二球誘導通路６２側へ傾斜した面とされている。この球誘導部材７５は、前記遊技球Ｐ３が、前記第二球誘導通路６２あるいは第三球誘導通路６３へ誘導される際に前記球誘導部材７５上面に停止することを防ぐ。なお、この球誘導用傾斜部７６は、前記第二球誘導通路６２側への傾斜面に限らず第三球誘導通路６３側あるいは両球誘導通路６２，６３側への傾斜面としてもよい。
【００３２】
球進路変更部材８０は、前記特別球通路空間７０を構成する分岐空間部６４に設けられた球誘導部材７５の上方に設けて前記第一球誘導通路６１を流下してきた遊技球Ｐ３を進路変更させて前記球誘導部材７５に誘導するものである。
【００３３】
この球進路変更部材８０は球進路変更用傾斜部８１を備えている。実施例の球進路変更用傾斜部８１は、図示したように、球進路変更部材８０の側面が前記遊技領域６の中央方向へ傾斜した面とされている。これによって、前記第一球誘導通路６１を流下してきた遊技球Ｐ３が、勢いが抑えられて前記第二球誘導通路６２のみを流下することを防ぐことができる。この球進路変更用傾斜部８１は、前記遊技球Ｐ３が球進路変更部材８０によって前記第一球誘導通路６１内で停止することを防ぐことができる。
【００３４】
前記第一球誘導通路６１および第二球誘導通路６２の少なくとも一部は、前記球通過可能領域８の最端部に設けられている。図４に示す実施例は、前記各球誘導通路６１，６２が、前記球通過可能領域８の右側の最端部８５に設けられたものである。なお、この最端部８５は前記球通過可能領域８の右側に設けるものに限られない。例えば、前記発射球誘導路１０を球通過可能領域８の右側に設けた弾球遊技機は、この最端部８５を該球通過可能領域８の左側に設けてもよい。また、左右非対称形状の表示装置により前記遊技領域６の略中心線より左側の球通過可能領域８の面積を該略中心線より右側の球通過可能領域８の面積よりも小さくした場合には、この最端部８５を、前記発射球誘導路１０を構成する内側誘導レール５の球通過可能領域８側の面としてもよい。
【００３５】
この発明の弾球遊技機は、前記最端部が略円弧状に形成され、前記第一球誘導通路６１および第二球誘導通路６２が、前記最端部に設けられるとともに該最端部に沿って同一円弧状に配設されたものである。実施例の弾球遊技機１は、図４に示すように、第一球誘導通路６１および第二球誘導通路６２が、円弧状に形成された前記最端部８５に沿って同一円弧状に配設されたものである。なお、略円弧状は、円弧の一部が直線で構成されたものを含む。
【００３６】
上記の弾球遊技機は、前記各球誘導通路６１，６２，６３が、前記遊技盤３に設けられた区画部により区画して形成されたものである。実施例の第一球誘導通路６１は、図２に示すように、前記装飾枠体５６の右上方壁面部５７と該壁面部５７に対向する外側誘導レール４とにより区画して形成されている。同実施例の第二球誘導通路６２は、図２および図４に示すように、前記サイドランプＲの右側壁面部Ｒ１と該右側壁面部Ｒ１に対向する内側誘導レール５および前記最端部８５とにより区画して形成されている。同実施例の第三球誘導通路６３は、図２および図４に示すように、前記装飾枠体５６の右下方壁面部５８と該壁面部５８に対向する前記サイドランプＲの上側壁面部Ｒ２とにより区画して形成されている。実施例の区画部は、区画部材に相当する外側誘導レール４，内側誘導レール５，装飾枠体５６，最端部８５，サイドランプＲの各部材の少なくとも一部としている。このため、前記各球誘導通路６１ないし６３を形成する区画部材を新たに設ける必要がない。
【００３７】
この発明の弾球遊技機が有する前記球進路変更部材は、前記最端部から前記特別球通路空間に向けて突設されたものである。これによって、前記特別球通路空間（特には、前記第一球誘導通路６１）を流下してきたほとんどの遊技球が、前記第二球誘導通路６２を流下することを防いで前記アウト口１７に誘導されることを防止する。実施例の弾球遊技機１は、図２に示すように、前記特別球通路空間７０（特には、前記第一球誘導通路６１）を流下してきた遊技球Ｐ１を、この球進路変更部材８０によって前記球誘導部材７５に誘導する。その後、遊技球Ｐ１は、この球誘導部材７５によって前記第三球誘導通路６３へ誘導されて前記始動入賞口１１等に誘導することができる。この遊技球Ｐ１が前記始動入賞口１１に入賞すると、遊技が、大当たり状態に移行して遊技者に有利なものとなることがある。
【００３８】
また、この発明の弾球遊技機は、前記第一球誘導通路６１および前記第二球誘導通路６２の少なくとも一部が遊技球が２球並列して通過することができない通路幅を有するとともに、前記分岐空間部６４が遊技球が２球並列して通過することができる通路幅を有している。
【００３９】
実施例は、図４に示すように、前記装飾枠体５６の第一壁面部５９Ａと前記最端部８５によって形成される第一球誘導通路６１が、遊技球Ｐ３が２球並列して通過することができない（遊技球Ｐ３が１球のみ流下する）通路幅Ｗ１を有している。これによって、遊技球Ｐ３が前記第一球誘導通路６１に滞留することを防ぐことができる。なお、図２に示すように、実施例の第一球誘導通路６１の一部は、遊技球が２球並列して通過することができる通路幅Ｗ２を有している。同じく図示するように、実施例の第二球誘導通路６２は、遊技球Ｐが２球並列して通過することができない（遊技球Ｐが１球のみ流下する）通路幅Ｗ３を有している。なお、図示しないが、第二球誘導通路６２の全部または一部が、遊技球が２球並列して通過することができる通路幅を有していてもよい。
【００４０】
実施例の分岐空間部６４は、図２および図４に示すように、前記第一球誘導通路６１を流下してきた遊技球Ｐ，Ｐ１が２球並列して通過することができる通路幅Ｗ４を有している。図４に示すように、前記分岐空間部６４は、前記装飾枠体５６の第二壁面部５９Ｂが、該装飾枠体５６の第一壁面部５９Ａよりも前記遊技領域６の中央方向に形成されている。これによって、前記遊技球Ｐ１が、前記分岐空間部６４内で詰まることを防ぐとともに第三球誘導通路６３へも流下することができる。
【００４１】
この発明の弾球遊技機は、前記遊技領域が、該遊技領域の略中心線上に配置される特定入賞口と該特定入賞口に遊技球が入球したことに起因して図柄を表示する図柄表示装置とを有し、前記第二球誘導通路を流下してきた遊技球の流下方向が前記特定入賞口に入球しないように規制されているとともに、前記第三球誘導通路を流下してきた遊技球の流下方向が前記特定入賞口に向かうように規制されている。
【００４２】
実施例の弾球遊技機１は、図２を用いて前述したように、前記遊技領域３が、該遊技領域３の略中心線上に配置される始動入賞口１１、普通図柄変動開始用左右ゲート１９，２１、図柄表示装置５５を有している。遊技球が、前記始動入賞口１１の特別図柄変動開始スイッチ，前記両ゲート１９，２１の普通図柄変動開始スイッチによって検出されると、複数の図柄が、前記図柄表示装置５５の画像表示部５０や普通図柄表示部５０Ａに変動表示等される。
【００４３】
図２および図４の実施例に示すように、矢印の如く前記第二球誘導通路６２を流下する遊技球Ｐは、前記最端部８５に沿って同一円弧状に配設された内側誘導レール５によって前記アウト口１７に誘導され前記始動入賞口１１に入賞等することがない。同じく図示したように、第三球誘導通路６３は、前記サイドランプＲの上側壁面部Ｒ２の形状によって遊技領域６の中央方向へ傾斜している。前記第三球誘導通路６３を流下してきた遊技球Ｐ３は、前記始動入賞口１１，普通図柄変動開始用左右ゲート１９，２１に向かう。これによって、この遊技球Ｐ３が、始動入賞口１１に入賞あるいは前記両ゲート１９，２１を通過する可能性を高めることができる。
【００４４】
前述したように、従来は、大型化した遊技装置と遊技領域の端部との間の球通過可能領域を通過した遊技球の多くが、アウト口に向けて流下していた。このため、前記球通過可能領域を通過した遊技球は、前記始動入賞口に入賞あるいは前記普通図柄変動開始用左右ゲートを通過する可能性が低かった。一方、実施例の弾球遊技機１は、前述したように、前記第一球誘導通路６１を流下してきた遊技球Ｐ１を前記第三球誘導通路６３により始動入賞口１１等に誘導することができる。これによって、遊技者は、遊技領域６のすべての球通過可能領域８における遊技球の動きを楽しむことができるとともに、この遊技球が前記始動入賞口１１に入賞等することによって遊技が遊技者に有利な大当たり状態等に移行するとの期待を抱くことができる。さらに、実施例の弾球遊技機１は、すべての球通過可能領域８における遊技球の動きによって、遊技が、遊技者に著しく不利あるいは著しく有利なものとなる可能性を軽減することができる。また、実施例の弾球遊技機１は、前述したように、前記第一球誘導通路６１を流下してきた遊技球Ｐを、前記第二球誘導通路６２によりアウト口１７にも誘導して前記始動入賞口１１に入賞等しないように規制する。これによって、遊技が、前記大当たり状態等に移行することを抑えて遊技店に不利なものとなることを抑制することができる。
【図面の簡単な説明】
【００４５】
【図１】この発明の一実施例に係る弾球遊技機全体の正面図である。
【図２】同遊技機の遊技盤の正面図である。
【図３】同遊技機全体の裏面図である。
【図４】図２の分岐空間部の部分拡大図である。
【図５】遊技盤に配設される表示装置の正面図である。
【符号の説明】
【００４６】
１  弾球遊技機
３  遊技盤
４  外側誘導レール
５  内側誘導レール
６  遊技領域
８  球通過可能領域
１１  始動入賞口
１９  普通図柄変動開始用左ゲート
２１  普通図柄変動開始用右ゲート
５５  図柄表示装置
５６  装飾枠体
５７  装飾枠体の右上方壁面部
５８  装飾枠体の右下方壁面部
６１  第一球誘導通路
６２  第二球誘導通路
６３  第三球誘導通路
６４  分岐空間部
７０  特別球通路空間
７５  球誘導部材
８０  球進路変更部材
８５  球通過可能領域の最端部
Ｐ，Ｐ１，Ｐ３  遊技球
Ｒ  サイドランプ
Ｒ１  サイドランプの右側壁面部
Ｒ２  サイドランプの上側壁面部
Ｗ１，Ｗ２  第一球誘導通路の通路幅
Ｗ３  第二球誘導通路の通路幅
Ｗ４  分岐空間部の通路幅
【図１】
2005073737.tif 000003
【図２】
2005073737.tif 000004
【図３】
2005073737.tif 000005
【図４】
2005073737.tif 000006
【図５】
2005073737.tif 000007